(57)【要約】【課題】かまぼこ状の丸畝について通常の紙製のマルチフィルムによる畝の被覆作業を可能とするマルチフィルム被覆装置を提供する。【解決手段】マルチフィルム被覆装置１は、ロール支持部２，２と左右の踏圧輪３，３とを備えて構成され、上記ロール支持部２，２の近傍には、ロールｂから繰り出された帯状フィルムａの後面に接してその両側部を下方に案内する左右の下降案内部材７，７を設け、この左右の下降案内部材７，７は、左右の踏圧輪３，３の配置幅の外でその引き出し力を受け、かつ、帯状フィルムａの幅内に配置する。【選択図】　　　図１
2004016064.tif 000002
【特許請求の範囲】
【請求項１】
ロールに巻回した帯状フィルムを引き出し可能に支持するロール支持部と、
このロール支持部の後方で帯状フィルムの両側部を所定の幅位置で踏みつけることにより同帯状フィルムをロール支持部から引き出す左右の踏圧輪とを備えるマルチフィルム被覆装置において、
上記ロール支持部の近傍に、ロールから繰り出された帯状フィルムの後面に接してその両側部を下方に案内する左右の下降案内部材を設け、
この左右の下降案内部材は、左右の踏圧輪の配置幅の外でその引き出し力を受け、かつ、帯状フィルムの幅内に配置してなることを特徴とするマルチフィルム被覆装置。
【請求項２】
前記左右の下降案内部材は、マルチフィルムの幅方向に伸びる横軸部材を介してその軸線方向の位置を調節可能に固定してなることを特徴とする請求項１記載のマルチフィルム被覆装置。
【請求項３】
前記左右の下降案内部材は、マルチフィルムの表面に均一に当接しうる幅広の案内遊輪により構成し、この遊輪の回転軸線はロール軸と平行に配置してなることを特徴とする請求項１記載のマルチフィルム被覆装置。
【請求項４】
前記左右の下降案内部材を構成する案内遊輪は、マルチフィルムの表面に馴染む程度の軟質スポンジによる弾性外周材を備えてなることを特徴とする請求項３記載のマルチフィルム被覆装置。
【発明の詳細な説明】
【０００１】
【発明の属する技術分野】
本発明は、耕耘ロータリ畝立て機等に取付けて畝立てとともにマルチフィルムによる畝の被覆を行うマルチフィルム被覆装置に関し、特に、かまぼこ状の丸畝について通常の紙製のマルチフィルムの適用を可能とするマルチフィルム被覆装置に関する。
【０００２】
【従来の技術】
畝立てされた畝の表面を帯状のマルチフィルムで覆うマルチフィルム被覆装置が知られている。このマルチフィルム被覆装置は、ロール支持部と左右の踏圧輪とを備えて構成され、耕耘用ロータリ畝立て機等に取付けて使用される。マルチフィルム被覆装置の上記ロール支持部には、マルチフィルムを巻回したロールを支持し、このロールから帯状フィルムを引き出してその両側部を左右の踏圧輪により畝の両裾位置まで引き寄せて畝を被覆するものである。使用されるマルチフィルムは、従来は、ポリエチレンフィルム等の合成樹脂フィルムが使用されていたが、近年、用済みのマルチフィルムを圃場にそのまま鋤きこむことによって無公害の後処理を可能とするべく、紙製のマルチフィルムに切替が進められている。
【０００３】
【発明が解決しようとする課題】
しかしながら、紙製のマルチフィルムは、十分な引張り強度を有するにもかかわらず、合成樹脂フィルムより伸びが小さいので側縁から破れやすいという特性差により、かまぼこ状に内盛した丸畝を被覆しようとすると、丸畝の高さ寸法に応じた強い引き込み力が紙製マルチフィルムに作用し、その両側縁からの破断を免れることができなかった。したがって、マルチフィルム被覆装置による紙製マルチフィルムの適用は、背の低い平畝が限界となっていた。
この問題に対して、マルチフィルムの厚さ、紙漉き、材料、側縁処理等による紙製マルチフィルムの強化等の対応によっては、コスト上の問題を避けることができない。その他、一定の場合は、マルチフィルムを滑らかに案内するために、ロールから畝の両裾までガイド体を設けることによって解決が可能であるが、丸畝の高さ寸法に応じた長いガイド体を要する上に、丸畝の各種の幅寸法と高さ寸法に対応させるべく多種類のガイド体を準備する必要があり、また、その着脱交換のためにマルチフィルム被覆装置の複雑化、大型化を避けることができない。
【０００４】
本発明の目的は、かまぼこ状の丸畝について通常の紙製のマルチフィルムによる畝の被覆作業を可能とするマルチフィルム被覆装置を提供することにある。
【０００５】
【課題を解決するための手段】
上記課題を解決するために、請求項１に係る発明は、ロールに巻回した帯状フィルムを引き出し可能に支持するロール支持部と、このロール支持部の後方で帯状フィルムの両側部を所定の幅位置で踏みつけることにより同帯状フィルムをロール支持部から引き出す左右の踏圧輪とを備えるマルチフィルム被覆装置において、上記ロール支持部の近傍に、ロールから繰り出された帯状フィルムの後面に接してその両側部を下方に案内する左右の下降案内部材を設け、この左右の下降案内部材は、左右の踏圧輪の配置幅の外でその引き出し力を受け、かつ、帯状フィルムの幅内に配置してなることを特徴とする。
【０００６】
上記ロール支持部に支持したロールから引き出される帯状フィルムは、その下方に位置する左右の下降案内部材によって同帯状フィルムの両側部を下方に案内されるとともに、その幅内の案内部材の当接位置から回り込むようにして左右の踏圧輪により畝の両裾位置まで引き寄せられる。このとき、左右の下降案内部材は、帯状フィルムにその幅内で当接することから、帯状フィルムの両側縁に引張力を作用することなく、左右の下降案内部材の当接部を介してロールから均等の張力により帯状フィルムが引き出される。
【０００７】
請求項２に係る発明は、前記左右の下降案内部材は、マルチフィルムの幅方向に伸びる横軸部材を介してその軸線方向の位置を調節可能に固定してなることを特徴とする。上記左右の下降案内部材を適宜位置調節することにより、畝幅に合わせてマルチフィルムに作用する反力を抑えることができる。
【０００８】
請求項３に係る発明は、前記左右の下降案内部材は、マルチフィルムの表面に均一に当接しうる幅広の案内遊輪により構成し、この遊輪の回転軸線はロール軸と平行に配置してなることを特徴とする。上記案内遊輪は、当接圧力を分散するとともに、マルチフィルムの引き出し抵抗を抑えることができるので、マルチフィルムに作用する反力が低減される。
【０００９】
請求項４に係る発明は、前記左右の下降案内部材を構成する案内遊輪は、マルチフィルムの表面に馴染む程度の軟質スポンジによる弾性外周材を備えてなることを特徴とする。上記構成により、マルチフィルムは、弾性外周材である軟質スポンジにより広い面積で反力が分散されて遊輪と当接することからより均一化されて当接圧力が小さく抑えられる。
【００１０】
【発明の実施の形態】
上記技術思想に基づき具体的に構成された実施の形態について以下に図面を参照しつつ説明する。本発明のマルチフィルム被覆装置と畝立て機の一体構成例に係る全体側面図を図１に、また、本発明のマルチフィルム被覆装置の要部立体斜視図を図２に示す。
【００１１】
図１において、本発明のマルチフィルム被覆装置１は、歩行型トラクタＴに取付けた畝立用ロータリＲと一体に構成して使用する。歩行型トラクタＴのオペレータハンドル側を先頭とし、その後部に畝立用ロータリＲを取り付け、この畝立用ロータリＲの畝盛成形部Ｇの上部に本発明のマルチフィルム被覆装置１を組み付ける。
【００１２】
マルチフィルム被覆装置１は、帯状フィルムａを巻回したロールｂの両端を軸支する左右のロール支持部２、２、このロール支持部２、２の後方（図１の紙面右方）でロールｂから繰り出された帯状フィルムａの両側部を畝ｃの両裾位置に敷き込む左右の踏圧輪３，３と左右の土寄せディスク４，４の他に、これらロール支持部２から左右の踏圧輪３，３に至る間に、ロールｂからその後方の近接位置で帯状フィルムａを受けるガイドローラ５、このガイドローラ５から帯状フィルムの中央部を押さえるセンタローラ６、帯状フィルムａの両側部をガイドローラ５の近傍で下方に案内する下降案内部材としての左右の案内遊輪７，７等を備えて構成される。
【００１３】
左右のロール支持部２、２は、帯状フィルムａを後方に引き出し可能にロールｂの両端を軸支するとともにロールｂの軸線を畝ｃの幅方向に配向させるべく、互いに平行して後方に伸びる左右のアームの後端に軸部材を突設して構成する。左右の踏圧輪３，３は、帯状フィルムａの両側部を畝ｃの両裾に敷き込むために軟質スポンジ材による弾性外周材３ａ，３ａを備え、互いに平行しつつ大きく屈曲する左右の支持アーム１１，１１の後部に取付けて畝ｃの両脇に配置する。
【００１４】
左右の土寄せディスク４，４は、土掘り用の凹凸刃を外周に備え、左右の踏圧輪３，３の近傍に取付け、その後方外側に近接して配置する。この左右の土寄せディスク４，４は、また、左右の踏圧輪３，３によって畝ｃの両裾に敷き込まれた帯状フィルムａの上に掘った土をかきあげて固定するために、平面視において左右の土寄せディスク４，４の後部を狭くなるように、機体の進行方向に対して傾斜配置する。
【００１５】
ガイドローラ５は、左右の支持アーム１２，１２によって前後および上下の位置を調節可能に軸支し、ロールｂから繰り出された帯状フィルムａの全幅を均等に案内するべく、ロールｂの後方に近接して平行に配置する。また、ガイドローラ５は、必要により、ロールｂを直接支持するように構成する。センタローラ６は、屈曲形成したセンタアーム１３を介して前後と上下の位置を調節可能に取付け、ガイドローラ５の後方から回り込んで帯状フィルムａを前方（図１の紙面左方）に折り返すようにロールｂの中央位置近傍に配置する。
【００１６】
左右の案内遊輪７，７は、マルチフィルムａの表面に馴染む程度の軟質スポンジによる弾性外周材７ａ，７ａを備えるとともに、左右の支持アーム１２，１２によって前後および左右の位置を調節可能に軸支する。また、ロールｂから引き出された帯状フィルムａに臨んでその両側部をガイドローラ５から下方のやや斜め前に下降案内するべく、左右の案内遊輪７，７の回転軸線をロールｂの中心軸線と平行させ、左右の踏圧輪３，３に至る間のその幅の外で、かつ、同帯状フィルムａの幅内に配置する。
【００１７】
上記構成のマルチフィルム被覆装置１は、図３および図４のマルチフィルム被覆装置の側面視による作用説明図、および、そのＡ矢視による作用説明図に、それぞれ、示すように、ロール支持部２，２のロールｂから操り出される帯状フィルムａが、その幅方向の中央において、センタローラ６によって折り返すように前方に屈曲させて畝ｃの頂部に至る距離が調節される。また、帯状フィルムａの両側部は、ガイドローラ５の下方に位置する左右の案内遊輪７，７によって下方のやや前寄りに下降案内されるとともに、その幅内に配置された案内遊輪７，７の当接位置から回り込むようにして左右の踏圧輪３，３により畝の両裾位置まで引き寄せられる。
【００１８】
このとき、左右の案内遊輪７，７は、帯状フィルムａにその幅内で当接することから、その両側縁に引張力を作用することなく、同帯状フィルムａを畝の両裾位置まで引き出すことができる。したがって、紙製マルチフィルムの厚さ、紙漉き、材料、側縁処理等の特別な対応を要することなく、帯状フィルムの外側縁からの破断を防止して紙製マルチフィルムの引張り強度を生かすことができるので、かまぼこ状の丸畝についてもフィルム被覆することが可能となる。
【００１９】
上記案内遊輪７，７は、弾性外周材を備えた案内遊輪による構成のみならず、下降案内部材による固定的構成まで、マルチフィルムの表面に均一に当接しうるものが適用対象となり、状況により選択する。特に、マルチフィルムの表面に馴染む程度の軟質スポンジによる弾性外周材７ａを案内遊輪７に備えて構成した場合は、マルチフィルムａに作用する反力が弾性外周材７ａにより広い面積で分散されて遊輪とマルチフィルムａとが当接することから当接圧力が小さく抑えられ、高速の操出にも安定した案内が可能となる。
【００２０】
【発明の効果】
本発明の排障板型除雪車両は以下の効果を奏する。
上記構成のマルチフィルム被覆装置は、帯状フィルムの幅内に左右の下降案内部材を設けたことから、帯状フィルムの両側縁に引張力を作用することなく、マルチフィルムの被覆ができることから、紙製マルチフィルムの厚さ、紙漉き、材料、側縁処理等の特別な対応を要することなく、その外側縁からの破断を防止して紙製マルチフィルムの引張り強度を生かすことができるので、かまぼこ状の丸畝についても紙製マルチフィルムのフィルム被覆が可能となる。その結果、合成樹脂フィルムの処理に伴う環境問題を起こすことなく、マルチフィルムをそのまま鋤込み処理することができる。
【００２１】
前記左右の下降案内部材をマルチフィルムの幅方向に位置調節可能とした場合は、畝幅に合わせて適宜位置調節することによりマルチフィルムに作用する反力を抑えて畝寸法の適用範囲を拡大することができる。
【００２２】
前記左右の下降案内部材を案内遊輪により構成した場合は、マルチフィルムの引き出し抵抗が抑えられるので、マルチフィルムに作用する反力が低減される。したがって、大きな高さ寸法の丸畝についても安定したフィルム被覆作業を確保することができる。
【００２３】
前記左右の下降案内部材を構成する案内遊輪に軟質スポンジによる弾性外周材を備えた場合は、軟質スポンジにより広い面積で反力が分散されて遊輪と当接することから当接圧力が小さく抑えられるので、高速処理にも安定して案内を受けることができる。
【図面の簡単な説明】
【図１】本発明のマルチフィルム被覆装置と畝立て機の一体構成例に係る全体側面図
【図２】図１のマルチフィルム被覆装置の立体斜視図
【図３】図１のマルチフィルム被覆装置の側面視による作用説明図
【図４】図３のＡ矢視による作用説明図
【符号の説明】
１　マルチフィルム被覆装置
２　ロール支持部
３　踏圧輪
３ａ　弾性外周材
５　ガイドローラ
６　センタローラ
７　案内遊輪（下降案内部材）
７ａ　弾性外周材
ａ　帯状フィルム（紙製マルチフィルム）
ｂ　ロール
ｃ　畝
Ｇ　畝盛成形部
Ｒ　畝立用ロータリ
Ｔ　トラクタ
【図１】
2004016064.tif 000003
【図２】
2004016064.tif 000004
【図３】
2004016064.tif 000005
【図４】
2004016064.tif 000006